(57)【要約】【課題】  柔らかい乳幼児の足を傷めることなく、乳幼児の足の骨の発育を考慮した靴を提供する。【解決手段】  靴１０の靴底１１には、乳幼児の中足骨アーチから足根部の横アーチに対応する部分に靴底の硬さより硬い所定の硬さのスタビライザ５０が設けられている。【選択図】      図２
2005246031.tif 000002
【特許請求の範囲】
【請求項１】
靴底の、乳幼児の中足骨アーチから足根部の横アーチに対応する部分に所定の硬さのスタビライザを設けた靴。
【請求項２】
前記スタビライザは、サーモプラスティックラバーで形成されている、請求項１に記載の靴。
【請求項３】
前記スタビライザは、前記靴底より硬い材質で構成される、請求項１または２に記載の靴。
【請求項４】
前記スタビライザは、所定の幅を有する帯状であり、踵からつま先方向に延び、その後、靴の内側へ湾曲した曲線部を有する、請求項１から３のいずれかに記載の靴。
【請求項５】
前記スタビライザの形状は、その中心に対して点対称である、請求項４に記載の靴。
【請求項６】
前記スタビライザよりもつま先側に位置する靴底の領域には、前記湾曲した曲線部に沿って、複数の溝が設けられている、請求項１から５のいずれかに記載の靴。
【発明の詳細な説明】
【技術分野】
【０００１】
この発明は靴に関し、特に、柔らかい乳幼児の足の発育をサポートする靴に関する。
【背景技術】
【０００２】
従来の、靴底を強化した靴がたとえば下記特許文献１に開示されている。
【０００３】
特許文献１に開示された靴においては、靴底の部材として合成樹脂またはゴム製の硬質プレートを用いることにより、靴底の弾性、耐曲げ疲労性等の機能を向上させている。
【特許文献１】特開平７−１６３４０４号公報（段落番号０００５）
【発明の開示】
【発明が解決しようとする課題】
【０００４】
従来の、靴底を強化した靴は上記のように構成されていた。スポーツ用の靴としての考慮はされていたが、乳幼児の骨の発育という観点でとらえていなかった。
【０００５】
本発明は、乳幼児特有の足の構造を考慮して、柔らかい乳幼児の足を傷めることなく、乳幼児の足の骨の発育を考慮した靴を提供することを目的とする。
【課題を解決するための手段】
【０００６】
この発明にかかる靴は、靴底の、乳幼児の中足骨アーチから足根部の横アーチに対応する部分に所定の硬さのスタビライザを有する。
【０００７】
乳幼児の中足骨アーチから足根部の横アーチとに対応する部分に所定の硬さのスタビライザを設けたため、子供の足の発育に合わせて中足骨部分で靴が屈曲する。その結果、自然な歩行を妨げず、裸足のような歩行を促し、乳幼児の足の発育を考慮した靴を提供することができる。
【０００８】
好ましくは、スタビライザは、サーモプラスティックラバーで形成されている。
【０００９】
さらに好ましくは、スタビライザは、靴底より硬い材質で構成される。
【００１０】
さらに好ましくは、スタビライザは、所定の幅を有する帯状であり、踵からつま先方向に延び、その後、靴の内側へ湾曲した曲線部を有する。
【００１１】
さらに好ましくは、スタビライザの形状は、その中心に対して点対称である。
【００１２】
さらに好ましくは、スタビライザよりもつま先側に位置する靴底の領域には、湾曲した曲線部に沿って、複数の溝が設けられている。
【発明を実施するための最良の形態】
【００１３】
以下、この発明の一実施の形態を図面を参照して説明する。図１は、この発明の一実施形態にかかる、乳幼児用靴の斜視図である。図１を参照して、乳幼児用靴１０は、幼児の足の下に位置する靴底部１１と、乳幼児の足の甲を覆う甲皮部１２と、甲皮部１２に連続し、乳幼児の足の甲の上部を覆う舌片部１３と、甲皮部１２に連続して、乳幼児の足の両側面を覆う側皮部１４とを備える。
【００１４】
乳幼児用靴１０は、側皮部１４の上の一方端部から舌片部１３に形成された空間を通って他方側の側皮部に延びる接続バンド１７を備える。接続バンド１７は側皮部１４の上の一方端部に固定され、他方端部は、平面ファスナー１８によって他方側の側皮部１４に固定される。従って、他方側の側皮部の面ファスナー１８を開くことによって、乳幼児の足を容易に靴１０の内部へ挿入することができる。
【００１５】
なお、図１に示すように、乳幼児用靴１０の甲皮部１２、側皮部１４ともにナイロン製のメッシュ状の布で構成されている。
【００１６】
図２（Ａ）は、図１に示した乳幼児用靴１０の靴底部１１を示す図であり、図２（Ｂ）は、図２（Ａ）のｂ−ｂで示す部分の断面図である。図２を参照して、靴底部１１の乳幼児の足の指が載置される位置、土踏まずの位置、土踏まずの下部および土踏まずの反対側の位置にメッシュで構成された通気部が設けられる。ここで、足の指のうち、親指以外の指が載置される位置２１ａ〜２１ｃおよび土踏まず２４ａ〜２４ｃの部分には比較的大きなワイヤメッシュが設けられ、足の親指の位置２２や靴の先端部２３、土踏まずの下部２５および土踏まずの反対側の位置２６には複数の小さなワイヤメッシュ２１〜２６が設けられる。また、足の指の載置される位置の少し下方に貫通穴２７が設けられている。なお、メッシュのサイズは、小石や小さな異物が侵入しないような寸法に選ばれている。
【００１７】
また、図２を参照して、ワイヤメッシュ２１〜２６は、靴底１１において、外部に直接接触しないよう、周りを凸部で囲まれた凹部に設けられている（図２において、メッシュを囲う線は凹部を表している）。
【００１８】
なお、メッシュはワイヤメッシュに限らず、所定の強度さえあれば、強化プラスティックのようなもので構成されてもよい。
【００１９】
靴の底部１１の中央部の土踏まずの位置に隣接した位置にスタビライザ５０が設けられている。靴底１１は硬度４５のＴＰＲ（サーモプラスティックラバー）で構成されている。一方、スタビライザ５０は靴底１１を構成している部材と同じである、ＴＰＲで構成されているが、その硬度は靴底１１よりも高い硬度６０である。
【００２０】
ここでスタビライザ５０の寸法は、靴のサイズが１６ｃｍであれば、約４９．５ｍｍであり、この場合、スタビライザ５０の靴の踵側端部から靴の踵側の端部までの寸法は、約４７ｍｍであり、その幅は約１１．５ｍｍである。また、スタビライザ５０の靴底への突出寸法は約６ｍｍである。
【００２１】
また、このスタビライザ５０を構成しているＴＰＲの主成分としては、たとえば、ＳＢＳ（スチレン）が８０％、ＰＳ（ポリスチレン）が８％、炭酸カルシウムが５％、パラフィンオイルが５％、ステアリン酸が２％のものが使用できるが、これに限るものではない。
【００２２】
次にスタビライザ５０の設けられる位置について説明する。図３は、足の骨解剖図である。足の骨は、大きく分けて３つの領域、すなわち指節骨（足趾骨）の領域Ｂと、中足骨の領域Ｃと、足根骨の領域Ｄとからなる。足前方の中足骨アーチ３０は、いわゆる足の甲のアーチであり、真のアーチではなく、負荷をかけることにより変化する。大人の場合、歩行時に、自重により中足骨アーチ３０はつぶれる。足根部の横アーチ３１は、大人の場合、自重によるアーチの変化はない。
【００２３】
乳幼児の足はふにゃふにゃで脂肪が多いため、地面に接地し自重をかけた状態と、足を浮かせた状態とで足の形が変わる。自重をかけた状態では、足の幅が大きくなり、甲の高さが低くなる。一方、足を浮かせた状態では、足の幅が小さくなり、甲の高さが高くなる。
【００２４】
乳幼児は、立っているときには、指先を曲げて地面を掴む。この動作を促すことが土踏まずの形成につながる。この指の動作をスムーズに行なうために、中足骨アーチ３０をしっかりとホールドする必要がある。中足骨アーチ３０は指の動きを制約しない個所であるので、しっかりと固定しても指の運動に支障を来たさない。
【００２５】
そこで、この実施の形態においては、この中足骨アーチ３０をしっかり固定するために中足骨アーチ３０から足根部の横アーチ３１の間にスタビライザ５０を設ける。
【００２６】
このように、靴底の中足骨アーチ３０から足根部の横アーチ３１の間にスタビライザ５０を設けることにより、踵をホールドし、歩行中のねじれも防止できる。
【００２７】
このスタビライザ５０の位置は、赤ちゃん医学、育児工学をもとに計算された設計に基づいている。したがって、この位置にスタビライザ５０を設けることにより、子供の足の発育に合わせて中足骨部分で靴が屈曲するため、自然な歩行を妨げず、裸足のような歩行を促し、乳幼児の足の発育を考慮した靴を提供することができる。
【００２８】
なお、図２においては、スタビライザ５０を靴底１１中央部のみに設けたが、これに限らず、幅をもっと大きくしてもよい。
【００２９】
次に、スタビライザの具体的な形状について説明する。図４は、土踏まずが形成された大人の足の裏を示している。図中、矢印で示すのは、歩行時の体重移動の軌跡である。大人の歩行時の重心移動に注目すると、最初に踵で接地し、重心が足の外側に移動して、第５中足骨骨頭部より第１中足骨骨頭部に移行し、母趾（第１指）の先端より抜けていく。
【００３０】
したがって、スタビライザ５０の形状も、この重心移動が生じるように歩行時の体重移動に沿った形状が好ましい。そうすれば、足幅方向へも重心移動が生じ、安定感が得られ、歩行が上達して乳幼児の足に、理想的な土踏まずが形成される。
【００３１】
図５は、スタビライザ５０の具体的な形状を示す図である。（Ａ）は、図２に示したスタビライザ５０ａを示し、（Ｂ）は、その変形例を示す。図５（Ａ）を参照して、スタビライザ５０ａの形状は、所定の幅を有する帯状であり、図中矢印で示すように、踵からつま先方向に延び、その後、靴の内側へ湾曲した曲線部を有する。また、図５（Ａ）に示すように、スタビライザ５０ａの形状は、その中心に対して点対称である。
【００３２】
図５（Ｂ）を参照して、変形例にかかるスタビライザ５０ｂの形状は、つま先側は、スタビライザ５０ａと同様であるが、踵側は、長方形に近い形状を有している。スタビライザを図５に示す形状にすることにより、上記したように土踏まずの形成が助長される。
【００３３】
また、図２を参照して、スタビライザ５０よりもつま先側に位置する靴底の領域には、上記の湾曲した曲線部に沿って、複数の溝が設けられている。
【００３４】
なお、上記実施の形態では、幼児の靴の左足用についてのみ説明したが、右足用も同様である。
【００３５】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００３６】
この発明にかかる、靴は、靴底の、乳幼児の中足骨が載置されるの部分に所定の硬さのスタビライザを設けたため、柔らかい乳幼児の足を傷めることなく、乳幼児の足の骨の発育を考慮した靴として有利に利用される。
【図面の簡単な説明】
【００３７】
【図１】この発明の一実施の形態にかかる靴を示す斜視図である。
【図２】靴底を外部から見た図である。
【図３】足の骨の解剖図である。
【図４】土踏まずが形成された大人の足の裏における、歩行時の体重移動の軌跡を示す図である。
【図５】スタビライザ５０の具体的な形状を示す図である。
【符号の説明】
【００３８】
１０  幼児用靴、１１靴底、１２  甲皮部、１３  舌片部、１４  側皮部、１５  メッシュ層、１７  接続バンド、３０  中足骨アーチ、３１  横アーチ、５０スタビライザ。
【図１】
2005246031.tif 000003
【図２】
2005246031.tif 000004
【図３】
2005246031.tif 000005
【図４】
2005246031.tif 000006
【図５】
2005246031.tif 000007